(57)【要約】【課題】レーザプリンタでも容易に、精細に印刷することができる複写式伝票を提供する。【解決手段】複数の分割線２５により複数の伝票基材部２１〜２４に分割される感圧複写基材２０と、伝票基材部２１〜２４の片面の少なくとも一部に設けられた接着層３０と、接着層３０を介して感圧複写基材２０に貼り合わされる剥離基材４０とを備え、剥離基材４０を感圧複写基材２０から剥がし、分割線２５により分割された伝票基材部２１〜２４を、接着層３０を介して重ねて剥離基材４０に貼り付ける。【選択図】図１
2008006588.tif 000002
【特許請求の範囲】
【請求項１】
複数の分割線により複数の伝票基材部に分割される感圧複写基材と、
前記伝票基材部の片面の少なくとも一部に設けられた接着層と、
前記接着層を介して前記感圧複写基材に貼り合わされる剥離基材とを備え、
前記剥離基材を前記感圧複写基材から剥がし、前記分割線により分割された前記伝票基材部を、前記接着層を介して重ねて前記剥離基材に貼り付けること、
を特徴とする複写式伝票。
【請求項２】
請求項１に記載の複写式伝票において、
前記伝票基材部の少なくとも１つは、三周辺に前記接着層を有する袋状基材部であること、
を特徴とする複写式伝票。
【請求項３】
請求項２に記載の複写式伝票において、
前記袋状基材部以外の前記伝票基材部の少なくとも１つは、その辺が前記袋状基材部の前記接着層のない辺よりも小さい寸法であること、
を特徴とする複写式伝票。
【請求項４】
請求項２又は請求項３に記載の複写式伝票において、
前記袋状基材部以外の前記伝票基材部は、切り取り線を挟んで伝票本体部と、前記接着層を有する伝票接着部とを備えること、
を特徴とする複写式伝票。
【請求項５】
請求項２から請求項４までのいずれか１項に記載の複写式伝票において、
前記袋状基材部以外の前記伝票基材部の少なくとも１つは、前記袋状基材部と前記剥離基材とに挟まれるようにして貼り付けられること、
を特徴とする複写式伝票。
【請求項６】
請求項２から請求項５までのいずれか１項に記載の複写式伝票において、
前記袋状基材部以外の前記伝票基材部の少なくとも１つは、つまみ代部を備えること、
を特徴とする複写式伝票。
【請求項７】
請求項５又は請求項６に記載の複写式伝票において、
前記袋状基材部以外の前記伝票基材部の少なくとも１つは、配達票であり、
前記袋状基材部は、貼付票であること、
を特徴とする複写式伝票。
【請求項８】
請求項１から請求項７までのいずれか１項に記載の複写式伝票において、
前記剥離基材は、少なくとも一部に情報表示部を備えること、
を特徴とする複写式伝票。
【請求項９】
請求項１から請求項８までのいずれか１項に記載の複写式伝票において、
前記感圧複写基材は、前記剥離基材を擬似的に接着する擬似接着層を備えること、
を特徴とする複写式伝票。
【発明の詳細な説明】
【技術分野】
【０００１】
本発明は、複写構造を備えた伝票基材を束ねた複写式伝票に関するものである。
【背景技術】
【０００２】
運送会社では、自社に対して発送の依頼がほしいことから、顧客に所定の情報（依頼主の住所・氏名・電話番号や、お届け先の住所・氏名・電話番号等）をあらかじめ印字した伝票を配布している場合がある。
実際には運送会社によって、配送料金が微妙に異なっているため、通販のように一度に大量の荷物を送る場合には料金こそが重要な差別化要因になるのだが、一年に数回程度の配送依頼である個人にとっては、料金よりもむしろ伝票が手元に存在していることの方が重大であり、実際にこのようなサービスを導入した結果、荷物の配送依頼量が増えているという現実がある。
そこで、運送会社ではこのようなサービスに力を入れているのだが、荷物のサイズや内容については、実際に発送する際に伝票に手書きしなくてはならないため、伝票には複写構造が必須である（例えば、特許文献１）。特許文献１のような配送伝票は、その複写構造が必須であるために、従来から広く利用されている多点複写方式が必要となり、そのために、昨今、普及率の高くなっているレーザプリンタは使用できず、印字サービスをするためのドットプリンタを個別に用意しておかなくてはならない。
ドットプリンタは、レーザプリンタ（ＬＢＰ）と比較して印字速度が遅く、解像度も高くないため、製造販売しているメーカーも少なく、結果的に高価なプリンタとなっている。解像度は、通常の伝票印刷に対しては、大きな問題とならないが、配達時の作業性改善のため、一部に２次元コードを設けたいといった要求も出てきており、そのような場合は、今後の問題となる可能性がある。さらに、印字する際に発生する騒音も問題であり、昨今では、できる限りレーザプリンタの使用が望まれている。
【特許文献１】特開平０７−１３７４８３号公報
【発明の開示】
【発明が解決しようとする課題】
【０００３】
本発明の課題は、レーザプリンタでも容易に、精細に印刷することができる複写式伝票を提供することである。
【課題を解決するための手段】
【０００４】
本発明は、以下のような解決手段により、前記課題を解決する。なお、理解を容易にするために、本発明の実施形態に対応する符号を括弧内に付して説明するが、これに限定されるものではない。
請求項１の発明は、複数の分割線（２５）により複数の伝票基材部（２１〜２４）に分割される感圧複写基材（２０）と、前記伝票基材部（２１〜２４）の片面の少なくとも一部に設けられた接着層（３０）と、前記接着層（３０）を介して前記感圧複写基材（２０）に貼り合わされる剥離基材（４０）とを備え、前記剥離基材（４０）を前記感圧複写基材（２０）から剥がし、前記分割線（２５）により分割された前記伝票基材部（２１〜２４）を、前記接着層（３０）を介して重ねて前記剥離基材（４０）に貼り付けることを特徴とする複写式伝票（１０）である。
【０００５】
請求項２の発明は、請求項１に記載の複写式伝票（１０）において、前記伝票基材部（２１〜２４）の少なくとも１つは、三周辺に前記接着層（３１）を有する袋状基材部（２１）であることを特徴とする複写式伝票（１０）である。
【０００６】
請求項３の発明は、請求項２に記載の複写式伝票（１０）において、前記袋状基材部（２１）以外の前記伝票基材部（２２〜２４）の少なくとも１つは、その辺が前記袋状基材部（２１）の前記接着層（３１）のない辺よりも小さい寸法であることを特徴とする複写式伝票（１０）である。
【０００７】
請求項４の発明は、請求項２又は請求項３に記載の複写式伝票（１０）において、前記袋状基材部（２１）以外の前記伝票基材部（２２〜２４）は、切り取り線（２６）を挟んで伝票本体部（２２−１〜２４−１）と、前記接着層（３２〜３４）を有する伝票接着部（２２−２〜２４−２）とを備えることを特徴とする複写式伝票（１０）である。
【０００８】
請求項５の発明は、請求項２から請求項４までのいずれか１項に記載の複写式伝票（１０）において、前記袋状基材部（２１）以外の前記伝票基材部（２２〜２４）の少なくとも１つは、前記袋状基材部（２１）と前記剥離基材（４０）とに挟まれるようにして貼り付けられることを特徴とする複写式伝票（１０）である。
【０００９】
請求項６の発明は、請求項２から請求項５までのいずれか１項に記載の複写式伝票（１０）において、前記袋状基材部（２１）以外の前記伝票基材部（２２〜２４）の少なくとも１つは、つまみ代部（２３−３）を備えることを特徴とする複写式伝票（１０）である。
【００１０】
請求項７の発明は、請求項５又は請求項６に記載の複写式伝票（１０）において、前記袋状基材部（２１）以外の前記伝票基材部（２２〜２４）の少なくとも１つは、配達票（２３）であり、前記袋状基材部（２１）は、貼付票（２１）であることを特徴とする複写式伝票（１０）である。
【００１１】
請求項８の発明は、請求項１から請求項７までのいずれか１項に記載の複写式伝票（１０）において、前記剥離基材（４０）は、少なくとも一部に情報表示部（４１）を備えることを特徴とする複写式伝票（１０）である。
【００１２】
請求項９の発明は、請求項１から請求項８までのいずれか１項に記載の複写式伝票（１０）において、前記感圧複写基材（２０）は、前記剥離基材（４０）を擬似的に接着する擬似接着層（５０）を備えることを特徴とする複写式伝票（１０）である。
【発明の効果】
【００１３】
以上説明したように、本発明によれば、以下のような効果がある。
（１）複写式伝票は、複数の分割線により複数の伝票基材部に分割される感圧複写基材と、接着層を介して感圧複写基材に貼り付けられる剥離基材とを備えているので、複写式伝票を汎用のレーザプリンタで印刷することができ、印刷後に、感圧複写基材を分割し、伝票基材部を重ねて、筆記内容を複写可能な複写式伝票の形態にすることができる。
（２）袋状基材部は、その三周辺に接着層を備えているので、複写式伝票に袋状のポケットを形成することができ、伝票基材部を収納することができる。
【００１４】
（３）袋状基材部以外の伝票基材部の少なくとも１つは、その辺が袋状基材部の接着層のない辺よりも小さい寸法であるので、伝票基材部を袋状基材部の接着層に接触させることなく収納することができる。
（４）袋状基材部以外の伝票基材部は、切り取り線を挟んで伝票本体部と、接着層を有する伝票接着部とを備えているので、必要に応じて、伝票本体部を伝票接着部から切り離すことができる。
【００１５】
（５）袋状基材部以外の伝票基材部の少なくとも１つは、剥離基材と、袋状基材部とに挟まれるようにして貼り付けられているので、伝票基材部の伝票本体部の不意の脱落や、誤って切り取られることを防止することができる。
（６）袋状基材部以外の伝票基材部の少なくとも１つは、つまみ代部を備えているので、容易に袋状基材部から伝票基材部を引き出すことができる。
（７）剥離基材は、少なくとも一部に情報表示部を備えているので、複写式伝票の使用方法などの情報を記載することができる。
（８）感圧複写基材は、剥離基材を擬似的に接着する擬似接着層を備えているので、分割線による感圧複写基材の捲れを防ぐことができ、レーザプリンタによる印刷時における複写式伝票の紙詰まりを防止することができる。
【発明を実施するための最良の形態】
【００１６】
本発明は、レーザプリンタでも容易に、精細に印刷することができる複写式伝票を提供するという目的を、複数の分割線により複数の伝票基材部に分割された感圧複写基材を、接着層を介して剥離基材と貼り合せて印刷し、印刷後に伝票基材部を分割して重ねて、筆記内容を複写可能な伝票の形態にすることにより実現する。
【実施例】
【００１７】
以下、図面等を参照して、本発明の実施例をあげて、さらに詳しく説明する。
図１は、本発明による実施例の配送伝票の詳細を示す図である。なお、図１（Ｂ）は、図１（Ａ）のＢ−Ｂ断面を示す図である。図２〜５は、配送伝票の使用形態の変化を示す図である。
配送伝票１０は、荷物２００の配送に使用される伝票であり、図１に示すように、感圧複写基材２０、接着層３０、剥離基材４０及び擬似接着層５０から構成されている。
感圧複写基材２０は、分割線２５により貼付票２１、売上票２２、配達票２３及びお客様控え２４（伝票基材部）に分割され、表裏面に複写用の混合反応液を含んだ粒子状カプセルが一面に設けられている複写層を備えるノーカーボンミドル紙である。また、感圧複写基材２０の寸法は、縦寸法がＨ１＋Ｈ２、横寸法がＬ１＋Ｌ２であり、分割線２５により縦がＨ１及びＨ２に、横がＬ１及びＬ２に分割される。なお、各伝票基材部の寸法は、Ｈ１＜Ｈ２−２Ｔ（Ｔは接着層３１の幅）、Ｌ２＞Ｌ１の関係が成り立つように決定されている。
【００１８】
貼付票２１は、縦寸法がＨ２、横寸法がＬ１であり、表面に情報記入欄２７を有し、裏面の三周辺に幅寸法がＴである接着層３１を備え、接着層３１を介して荷物２００に貼り付けられる伝票である。
売上票２２は、縦寸法がＨ１、横寸法がＬ１であり、切り取り線２６を挟んで伝票本体部２２−１及び伝票接着部２２−２を備え、配送依頼による売り上げを管理する伝票である。伝票本体部２２−１は、表面に情報記入欄２７を有し、裏面に擬似接着層５０を備える。伝票接着部２２−２は、裏面に接着層３２を備える。
配達票２３は、縦寸法がＨ１、横寸法がＬ２であり、切り取り線２６を挟んで伝票本体部２３−１、伝票接着部２３−２及びつまみ代部２３−３を備え、配送完了時に荷物２００の荷受人から認印を貰い、配達完了を証明する伝票である。伝票本体部２３−１は、表面に情報記入欄２７を有し、裏面に擬似接着層５０を備える。また、伝票接着部２３−２は、裏面に接着層３３を備える。つまみ代部２３−３は、配達票２３の横寸法Ｌ２が貼付票２１の横寸法Ｌ１よりも大きいために両者を重ねたときに、はみ出す領域である。
【００１９】
お客様控え２４は、縦寸法がＨ２、横寸法がＬ２であり、切り取り線２６を挟んで伝票本体部２４−１及び伝票接着部２４−２を備え、荷物２００の配送依頼人が保管する伝票である。伝票本体部２４−１は、表面に情報記入欄２７を有し、裏面に擬似接着層５０を備える。また、伝票接着部２４−２は、裏面に接着層３４を備える。
分割線２５は、感圧複写基材２０を貼付票２１、売上票２２、配達票２３及びお客様控え２４に分割するハーフカットである。
切り取り線２６は、売上票２２、配達票２３及びお客様控え２４に設けられたミシン目であり、必要に応じて伝票本体部（２２−１〜２４−１）と伝票接着部（２２−２〜２４−２）とを切り離すことができる。
【００２０】
情報記入欄２７は、各伝票基材部（２１〜２４）に設けられ、宛先記入欄２７−１、差出人記入欄２７−２、品名記入欄２７−３及び認印欄２７−４を有した配達情報の記入欄である。なお、貼付票２１、売上票２２及びお客様控え２４には、認印欄２７−４が設けられていない。
接着層３０は、貼付票２１の接着層３１、売上票２２の接着層３２、配達票２３の接着層３３及びお客様控え２４の接着層３４であり、再剥離不可能な接着剤である。
剥離基材４０は、表面に配送伝票１０の使用方法を記載した情報表示部４１が印刷され、感圧複写基材２０の接着層３０の接着面を保護する剥離紙であり、接着層３０及び擬似接着層５０により感圧複写基材２０と剥離可能に接着される。
擬似接着層５０は、再貼付不可能な仮貼り用の接着剤であり、感圧複写基材２０の接着層３０が設けられていない部位について、擬似的に剥離基材４０と接着させ、配送伝票１０がレーザプリンタに投入されたときの紙詰まりを防止することができる。
【００２１】
次に、配送伝票１０の使用方法について説明する。
配送業者は、配送依頼人から配送伝票１０の注文を受けたら、まず、図１（Ａ）に示すような形態の配送伝票１０の情報記入欄２７の差出人記入欄２７−２に、配送依頼人の情報をレーザプリンタにより印字する。印字したら、図２に示すように、剥離基材４０を感圧複写基材２０から剥がし、分割線２５により、貼付票２１、売上票２２、配達票２３及びお客様控え２４に分割する（矢印Ａ）。このとき、剥がした剥離基材４０から情報表示部４１が表出する。次に、図３に示すように、配達票２３、貼付票２１、売上票２２、お客様控え２４の順で、剥離基材４０の情報表示部４１を隠さないように貼り付けて（矢印Ｃ）、配送依頼人に配送伝票１０を渡す。
【００２２】
配送伝票１０を受け取った配送依頼人は、剥離基材４０の情報表示部４１に記載された配送伝票１０の使用方法を読み、図４に示すように、お客様控え２４の情報記入欄２７の宛先記入欄２７−１及び品名記入欄２７−３を記入する。配送伝票１０の各伝票基材部２１〜２４は、ノーカーボンミドル紙で形成されているので、記入された内容は、筆圧により最下枚の配達票２３まで複写される。
記入を終えたら、配送依頼人は、配達票２３、貼付票２１、売上票２２、お客様控え２４の順で重ねられた配送伝票１０を剥離基材４０から剥がし、所定の荷物２００に貼り付けて、配送業者に荷物２００を渡す。
【００２３】
配送業者は、配送伝票１０を貼り付けた荷物２００を配送依頼人から受け取ったら、図５に示すように、最上枚にあるお客様控え２４の伝票本体部２４−１を、切り取り線２６により伝票接着部２４−２から切り離して配送依頼人に渡す。同様にして、売上票２２の伝票本体部２２−１を伝票接着部２２−２から切り離して配送業者が保管する（矢印Ｄ）。貼付票２１は、荷物２００と袋状のポケットを形成して貼り付けられ、配達票２３は、その大部分を覆われるようにして、貼付票２１の袋状のポケットに内包されているので、お客様控え２４及び売上票２２の切り離し時に、配達票２３が誤って、切り取られるのを防止することができる。また、仮に何らかの事情で配達票２３が切り離されたとしても、貼付票２１の袋状のポケットの内部に収納することができる。なお、上述したように、各伝票の寸法は、Ｈ１＜Ｈ２−２Ｔの関係で決定されているので、貼付票２１は、袋状のポケットの内側に配達票２３を、接着層３１と接触させることなく重ねることができる。
【００２４】
配送業者は、受け取った荷物２００を荷受人へ配送し、配達票２３のつまみ代部２３−３を摘んで引っ張ることにより、貼付票２１から配達票２３の伝票本体部２３−１を切り取り、切り取った伝票本体部２３−１の認印欄２７−４に荷受人の印を貰って持ち帰る。
荷受人は、荷物２００の表面に貼られた貼付票２１に記入された差出人や品名の情報を確認して、荷物２００を開封する。
【００２５】
以上より、本実施例の配送伝票１０には以下のような効果がある。
（１）感圧複写基材２０は、分割線２５により貼付票２１、売上票２２、配達票２３及びお客様控え２４に分割することができるので、各伝票基材部を汎用のレーザプリンタで印刷することができ、印刷後に、各伝票基材部を分割して重ね、筆記内容を複写可能な配送伝票１０の形態にすることができる。
（２）貼付票２１は、その三周辺に接着層３１を備えているので、配送伝票１０に袋状のポケットを形成することができ、配達票２３を収納することができる。
【００２６】
（３）配達票２３は、その縦寸法が貼付票２１の縦寸法よりも小さいので、配達票２３を貼付票２１の接着層３１に接触させることなく収納することができる。
（４）売上票２２、配達票２３及びお客様控え２４は、切り取り線２６を挟んで伝票本体部（２２−１〜２４−１）と、接着層（３２〜３４）を有する伝票接着部（２２−２〜２４−２）とを備えているので、必要に応じて、伝票本体部（２２−１〜２４−１）を伝票接着部（２２−２〜２４−２）から切り離すことができる。
【００２７】
（５）配達票２３は、剥離基材４０と貼付票２１とに挟まれるようにして貼り付けられているので、配達票２３の伝票本体部２３−１の不意の脱落や、誤って切り取られることを防止することができる。
（６）配達票２３は、貼付票２１よりも横寸法を大きくすることにより、つまみ代部２３−３を形成しているので、容易に貼付票２１から配達票２３を引き出すことができる。
（７）剥離基材４０は、少なくとも一部に情報表示部４１を備えているので、配送伝票の使用方法などの情報を記載することができる。
（８）感圧複写基材２０は、剥離基材４０を擬似的に接着する擬似接着層５０を備えているので、分割線２５による感圧複写基材２０の捲れを防ぐことができ、レーザプリンタによる印刷時における配送伝票１０の紙詰まりを防止することができる。
【００２８】
（変形例）
以上説明した実施例に限定されることなく、種々の変形や変更が可能であって、それらも本発明の均等の範囲内である。
（１）本実施例では、感圧複写基材２０は、貼付票２１、売上票２２、配達票２３及びお客様控え２４の４枚に分割したが、伝票の種類に応じて、それ以外の枚数に分割してもよい。
（２）本実施例では、各伝票基材の短辺に接着層３０を設けて束ねたが、長辺に設けて束ねてもよい。
（３）本実施例では、貼付票２１の下に配達票２３を配置したが、その他の伝票基材を１枚又は複数枚配置してもよい。
（４）本実施例では、擬似接着層５０は、貼付票２１に設けなかったが、必要に応じて設けてもよい。また、擬似接着層５０の形状は、長方形に限らず、必要に応じて変更することも可能である。
【図面の簡単な説明】
【００２９】
【図１】本発明による実施例の配送伝票を示す図である。
【図２】本発明による実施例の感圧複写基材を分割した図である。
【図３】本発明による実施例の各伝票を重ねて貼り付ける図である。
【図４】本発明による実施例の配送依頼人が取扱う配送伝票の形態を示す図である。
【図５】本発明による実施例の配送伝票の配送時の各伝票基材部の切り取りを示す図である。
【符号の説明】
【００３０】
１０  配送伝票
２０  感圧複写基材
２１  貼付票
２２  売上票
２３  配達票
２４  お客様控え
２６  分割線
３０  接着層
４０  剥離基材
【図１】
2008006588.tif 000003
【図２】
2008006588.tif 000004
【図３】
2008006588.tif 000005
【図４】
2008006588.tif 000006
【図５】
2008006588.tif 000007